(57)【特許請求の範囲】
【請求項１】
先端に浴室内の打たせ湯ノズルが接続され打たせ湯水路を開閉する打たせ湯開閉弁を有し該打たせ湯開閉弁を開弁して打たせ湯を開始し該打たせ湯開閉弁を閉弁して打たせ湯を終了する打たせ湯ユニットと、
前記打たせ湯ノズルを含む複数の出湯箇所に温水を設定給湯温度で供給する熱源機と、
使用者の操作による打たせ湯の開始及び終了の指示を前記打たせ湯ユニットを経由させて前記熱源機へ送信する打たせ湯リモコンと、
前記打たせ湯リモコンとは別に配備され使用者が操作して指示した設定給湯温度を前記熱源機へ送信する少なくとも１つの熱源機リモコンとを備え、
前記熱源機は、前記打たせ湯ユニットとは、第１通信規格を使用して通信し、前記熱源機リモコンとは、前記第１通信規格とは異なる第２通信規格を使用して通信し、
前記第１通信規格には、前記打たせ湯ユニットから前記熱源機へ設定給湯温度を指示することについての通信規定が存在せず、
前記第２通信規格には、前記熱源機リモコンから前記熱源機へ設定給湯温度を指示することについての通信規定が存在し、
前記熱源機は、
前記打たせ湯ユニットからの前記第１通信規格による打たせ湯の開始及び終了の指示に基づいて打たせ湯の開始及び終了を検知する検知手段と、
打たせ湯開始指示を検知すると、設定給湯温度を打たせ湯用に設定された給湯温度に変更してから温水を供給する打たせ湯用給湯制御を開始し、打たせ湯終了指示を検知すると、前記打たせ湯用給湯制御を終了する給湯制御手段とを備えることを特徴とする給湯システム。
【請求項２】
先端に浴室内の打たせ湯ノズルが接続され打たせ湯水路を開閉する打たせ湯開閉弁を有し該打たせ湯開閉弁を開弁して打たせ湯を開始し該打たせ湯開閉弁を閉弁して打たせ湯を終了する打たせ湯ユニットと、
前記打たせ湯ノズルを含む複数の出湯箇所に温水を設定給湯温度で供給する熱源機と、
少なくとも打たせ湯の開始及び終了の指示を前記打たせ湯ユニットを経由させて前記熱源機へ送信する打たせ湯リモコンと、
少なくとも設定給湯温度を前記熱源機へ送信する熱源機リモコンと、
打たせ湯温度を記憶する記憶媒体と
を備え、
前記熱源機は、前記打たせ湯ユニットとは、第１通信規格を使用して通信し、前記熱源機リモコンとは、前記第１通信規格とは異なる第２通信規格を使用して通信し、
前記第１通信規格には、前記打たせ湯ユニットから前記熱源機へ設定給湯温度を指示することについての通信規定が存在せず、
前記第２通信規格には、前記熱源機リモコンから前記熱源機へ設定給湯温度を指示することについての通信規定が存在し、
前記熱源機は、
前記打たせ湯ユニットからの前記第１通信規格による打たせ湯の開始及び終了の指示に基づいて打たせ湯の開始及び終了を検知する検知手段と、
打たせ湯開始指示を検知すると、
設定給湯温度が打たせ湯用の給湯温度として適正範囲内であるか適正範囲外であるかを調べ、もし適正範囲内であるならば、その設定給湯温度で温水を供給し、もし適正範囲外であるならば、設定給湯温度を、前記記憶媒体に記憶している打たせ湯温度に変更してから温水を供給する打たせ湯用給湯制御を開始し、打たせ湯終了指示を検知すると、
前記打たせ湯用給湯制御を終了する給湯制御手段と
を備えることを特徴とする給湯システム。
【請求項３】
請求項１又は２記載の給湯システムにおいて、
前記給湯制御手段が、
打たせ湯用給湯制御の開始に先立ち、開始前の設定給湯温度を含む開始前の前記給湯システムの設定状態を記憶媒体に記憶し、
打たせ湯用給湯制御の終了後、前記給湯システムの設定状態を、前記記憶媒体に記憶してある打たせ湯用給湯制御の開始前の設定状態に戻すことを特徴とする給湯システム。
【請求項４】
請求項１〜３のいずれか１項に記載の給湯システムにおいて、
熱源機リモコンを複数、備え、
前記給湯制御手段は、打たせ湯用給湯制御の期間では、設定給湯温度の変更指示を、該変更指示による設定給湯温度が打たせ湯用の給湯温度として適正範囲内にあるという条件付きで、複数の前記熱源機リモコンの内、浴室に配備されている熱源機リモコンから受け付けるようになっていることを特徴とする給湯システム。
【請求項５】
請求項１〜４のいずれか１項に記載の給湯システムにおいて、
前記打たせ湯リモコンはワイヤレス通信用の送信部を備え、
前記熱源機リモコンはワイヤレス通信用の受信部を備え、
前記打たせ湯リモコンから前記熱源機への指示信号は、前記第２通信規格を使用したワイヤレス通信により前記打たせ湯リモコンの前記送信部から前記熱源機リモコンの前記受信部へ送られて、前記熱源機リモコンの中継により前記熱源機へ送られることを特徴とする給湯システム。
【発明の詳細な説明】
【技術分野】
【０００１】
本発明は、打たせ湯ノズルを含む複数の出湯箇所への給湯を行う給湯システムに関する。
【背景技術】
【０００２】
特許文献１は、共通の熱源機が台所や浴槽に使用する湯と浴室暖房機の打たせ湯ノズルから吐出する湯とを供給する給湯システムを開示する。該給湯システムでは、使用者が、浴室の暖房機リモコンのスイッチを操作することにより浴室暖房機内の打たせ湯水路が開閉されて、打たせ湯が開始及び停止される。
【０００３】
特許文献１の給湯システムでは、暖房機リモコンで熱源機の設定給湯温度を指示することはできず、台所や浴室に設置された熱源機リモコンから熱源機の設定給湯温度を指示するようになっている。したがって、熱源機の設定給湯温度が打たせ湯には不適格な温度になっている時に打たせ湯が実施されないようにするため、浴室暖房機内の打たせ湯水路内の温水の温度を検出し、温水の温度が所定の上限以上であると、打たせ湯水路を閉じて、打たせ湯を中止するようにしている（特許文献１の図４）。
【０００４】
特許文献２は、熱源機と台所や浴室の熱源機リモコンとを通信線で相互に接続するとともに、該熱源機と浴室暖房乾燥機とを通信線で相互に接続する温水暖房システムを開示する。該温水暖房システムでは、熱源機と熱源機リモコンとの間の通信線の通信方式と、熱源機と浴室暖房乾燥機との間の通信線の通信方式とが相違していることに対処して、熱源機に、両通信方式のインターフェースとなる通信手段を装備させ、浴室暖房乾燥機の作動状況（例：乾燥時間設定タイマのタイムアップ、浴室の暖房完了、及び浴室の暖房完了までの予想所要時間等）が、熱源機の通信手段を介して熱源機リモコンへ伝えられて、使用者は熱源機リモコンで浴室暖房乾燥機の作動状況を把握できるようになっている。
【先行技術文献】
【特許文献】
【０００５】
【特許文献１】特開２０１０−１３１２８１号公報
【特許文献２】特開２００２−１９５５７８号公報
【発明の概要】
【発明が解決しようとする課題】
【０００６】
特許文献１の給湯システムでは、熱源機リモコンで指示した設定給湯温度が打たせ湯として不適格な高温となっている場合には、打たせ湯が中止されてしまう。使用者は打たせ湯を実施するためには、浴室暖房機のリモコンとは別の熱源機リモコンを操作して熱源機の給湯温度を打たせ湯に適したものに指示し直す必要があり、手間がかかる。
【０００７】
特許文献２の温水暖房システムでは、熱源機と浴室暖房乾燥機とが通信線で接続されているものの、浴室暖房乾燥機には打たせ湯の機能がないので、浴室暖房乾燥機から熱源機の温度を変更する必要はなく、浴室暖房乾燥機の作動状態を浴室暖房乾燥機から熱源機へ送信し、熱源機を中継して台所等の熱源機リモコンに浴室暖房乾燥機の作動状態を表示するようになっている。ここで、浴室暖房機から熱源機の設定給湯温度を変更することも考えられるが、浴室暖房機と熱源機とは汎用通信方式であるＧＣＨ（Gas Central Heating）で通信されており、熱源機を浴室暖房機側から操作しようとすると、該汎用通信方式に、熱源機の設定給湯温度を変更する新たな通信規定を追加しなければならず、工数が増大してしまう。
【０００８】
本発明の目的は、打たせ湯の実施を熱源機へ汎用通信方式で指示するリモコンとは別の既存の通信方式を使うリモコンから熱源機の給湯温度が設定されるようになっている給湯システムにおいて、使用者が煩わしい手間を省略して快適な打たせ湯を開始できるようにした給湯システムを提供することである。
【課題を解決するための手段】
【０００９】
第１発明の給湯システムは、先端に浴室内の打たせ湯ノズルが接続され打たせ湯水路を開閉する打たせ湯開閉弁を有し該打たせ湯開閉弁を開弁して打たせ湯を開始し該打たせ湯開閉弁を閉弁して打たせ湯を終了する打たせ湯ユニットと、前記打たせ湯ノズルを含む複数の出湯箇所に温水を設定給湯温度で供給する熱源機と、使用者の操作による打たせ湯の開始及び終了の指示を前記打たせ湯ユニットを経由させて前記熱源機へ送信する打たせ湯リモコンと、前記打たせ湯リモコンとは別に配備され使用者が操作して指示した設定給湯温度を前記熱源機へ送信する少なくとも１つの熱源機リモコンとを備え、前記熱源機は、前記打たせ湯ユニットとは、第１通信規格を使用して通信し、前記熱源機リモコンとは、前記第１通信規格とは異なる第２通信規格を使用して通信し、前記第１通信規格には、前記打たせ湯リモコンから前記熱源機へ設定給湯温度を指示することについての通信規定が存在せず、前記第２通信規格には、前記熱源機リモコンから前記熱源機へ設定給湯温度を指示することについての通信規定が存在し、前記熱源機は、前記打たせ湯ユニットからの前記第１通信規格による打たせ湯の開始及び終了の指示に基づいて打たせ湯の開始及び終了を検知する検知手段と、打たせ湯開始指示を検知すると、設定給湯温度を打たせ湯用に設定された給湯温度に変更してから温水を供給する打たせ湯用給湯制御を開始し、打たせ湯終了指示を検知すると、前記打たせ湯用給湯制御を終了する給湯制御手段とを備えることを特徴とする。
【００１０】
第１発明によれば、浴室暖房機−熱源機間の第１通信規格とは別の第２通信規格により熱源機リモコンから熱源機へ設定給湯温度を指示し、打たせ湯開始時の打たせ湯温度が決まってしまうものにおいて、熱源機の設定給湯温度が打たせ湯として不適格であっても、打たせ湯実施中の熱源機の設定給湯温度は打たせ湯として的確な打たせ湯温度で開始されるので、使用者は、打たせ湯開始前に熱源機の設定給湯温度を確認したり、変更したりする面倒な手間から解放される。
【００１１】
第２発明の給湯システムは、先端に浴室内の打たせ湯ノズルが接続され打たせ湯水路を開閉する打たせ湯開閉弁を有し該打たせ湯開閉弁を開弁して打たせ湯を開始し該打たせ湯開閉弁を閉弁して打たせ湯を終了する打たせ湯ユニットと、前記打たせ湯ノズルを含む複数の出湯箇所に温水を設定給湯温度で供給する熱源機と、少なくとも打たせ湯の開始及び終了の指示を前記打たせ湯ユニットを経由させて前記熱源機へ送信する打たせ湯リモコンと、少なくとも設定給湯温度を前記熱源機へ送信する熱源機リモコンと、打たせ湯温度を記憶する記憶媒体とを備え、前記熱源機は、前記打たせ湯ユニットとは、第１通信規格を使用して通信し、前記熱源機リモコンとは、前記第１通信規格とは異なる第２通信規格を使用して通信し、前記第１通信規格には、前記打たせ湯ユニットから前記熱源機へ設定給湯温度を指示することについての通信規定が存在せず、前記第２通信規格には、前記熱源機リモコンから前記熱源機へ設定給湯温度を指示することについての通信規定が存在し、前記熱源機は、前記打たせ湯ユニットからの前記第１通信規格による打たせ湯の開始及び終了の指示に基づいて打たせ湯の開始及び終了を検知する検知手段と、打たせ湯開始指示を検知すると、設定給湯温度が打たせ湯用の給湯温度として適正範囲内であるか適正範囲外であるかを調べ、もし適正範囲内であるならば、その設定給湯温度で温水を供給し、もし適正範囲外であるならば、設定給湯温度を、前記記憶媒体に記憶している打たせ湯温度に変更してから温水を供給する打たせ湯用給湯制御を開始し、打たせ湯終了指示を検知すると、前記打たせ湯用給湯制御を終了する給湯制御手段とを備えることを特徴とする。
【００１２】
第２発明によれば、浴室暖房機−熱源機間の第１通信規格とは別の第２通信規格により熱源機リモコンから熱源機へ設定給湯温度を指示し、打たせ湯開始時の打たせ湯温度が決まってしまうものにおいて、熱源機の設定給湯温度が打たせ湯の給湯温度として適正範囲外であるときには、設定給湯温度は、打たせ湯の開始に伴い適正範囲内の打たせ湯温度に変更されるので、打たせ湯が開始されても熱い湯が出て、打たせ湯が停止することがなく、打たせ湯開始前の熱源機の設定給湯温度変更の面倒な手間から解放される。また、熱源機の設定給湯温度が打たせ湯の給湯温度として適正範囲内であるときには、設定給湯温度は打たせ湯の開始後もそのまま維持されるので、使用者は、熱源機の設定給湯温度を事前に熱源機リモコンから適正範囲内の自分の好みの温度に設定することができる。
【００１３】
第３発明の給湯システムは、第１発明又は第２発明の給湯システムにおいて、前記給湯制御手段が、打たせ湯用給湯制御の開始に先立ち、開始前の設定給湯温度を含む開始前の前記給湯システムの設定状態を記憶媒体に記憶し、打たせ湯用給湯制御の終了後、前記給湯システムの設定状態を、前記記憶媒体に記憶してある打たせ湯用給湯制御の開始前の設定状態に戻すことを特徴とする。
【００１４】
第３発明によれば、打たせ湯が終了しだい、給湯システムの設定状態は、打たせ湯の開始前のものに戻るので、使用者は、打たせ湯の終了後に給湯システムの設定状態を打たせ湯の開始前のものに戻す煩雑な操作を省略することができる。
【００１５】
第４発明の給湯システムは、第１〜第３発明のいずれか１つの給湯システムにおいて、熱源機リモコンを複数、備え、前記給湯制御手段は、打たせ湯用給湯制御の期間では、設定給湯温度の変更指示を、該変更指示による設定給湯温度が打たせ湯用の給湯温度として適正範囲内にあるという条件付きで、複数の前記熱源機リモコンの内、浴室に配備されている熱源機リモコンから受け付けるようになっていることを特徴とする。
【００１６】
第４発明によれば、打たせ湯の実施中、浴室外の熱源機リモコンから設定給湯温度の指示に阻害されることなく、浴室内の熱源機リモコンから打たせ湯の湯温を自分の好みに適宜、変更することができる。
【００１７】
第５発明の給湯システムは、第１〜第４発明のいずれか１つの給湯システムにおいて、前記打たせ湯リモコンはワイヤレス通信用の送信部を備え、前記熱源機リモコンはワイヤレス通信用の受信部を備え、前記打たせ湯リモコンから前記熱源機への指示信号は、前記第２通信規格を使用したワイヤレス通信により前記打たせ湯リモコンの前記送信部から前記熱源機リモコンの前記受信部へ送られて、前記熱源機リモコンの中継により前記熱源機へ送られることを特徴とする。
【００１８】
例えばＧＣＨのような第１通信規格の信号を使うと、打たせ湯リモコンから熱源機へは、打たせ湯の開始及び終了指示等、決められた信号しか送れないが、打たせ湯ユニットから指示の信号を打たせ湯リモコンから熱源機リモコンへワイヤレスで飛ばしてから、熱源機リモコンから第２通信規格の信号により熱源機リモコンから受信するようにすれば、ＧＣＨ通信のような第１通信規格に新たな通信規定を追加することなく、第２通信規格のみを使って打たせ湯温度の適正化を実現することができる。
【図面の簡単な説明】
【００１９】
【図１】打たせ湯付き給湯システムの主要部の給湯系統を示す図。
【図２】給湯システムが装備する熱源機及びリモコンの信号系統を示す図。
【図３】浴室暖房機及び熱源機の各々及び両者間の処理のフローを示す図。
【発明を実施するための形態】
【００２０】
図１において、給湯システム１は、暖房機構２、スプラッシュミスト機構３、打たせ湯機構４及び熱源機５を備える。暖房機構２、スプラッシュミスト機構３及び打たせ湯機構４は後述の図２の浴室暖房機６７に装備されている。熱源機５は、給湯用バーナ５１ａで加熱される給湯用熱交換器５１と、暖房用バーナ５２ａで加熱される暖房用熱交換器５２とを備える。
【００２１】
暖房機構２は、浴室の天井部に配置され、内部に形成されている通風路内の循環ファンを回転させて、下面の吸込み口から吸い込んだ空気を通風路内に導入して、通風路内の暖房用放熱器２３により加熱してから、通風路の出口の吹出し口より浴室内へ吹出す。
【００２２】
暖房用放熱器２３には、熱源機５の暖房用熱交換器５２に連なる主熱媒循環路２４が接続されている。主熱媒循環路２４には、暖房用熱媒弁２４ａ、シスターン２４ｂ及び循環ポンプ２４ｃが介設されており、暖房用熱媒弁２４ａの開弁及び循環ポンプ２４ｃの作動で熱媒体（水、不凍液等）が循環する。熱媒体は、熱源機５の暖房用熱交換器５２で加熱されて暖房用放熱器２３に供給され、暖房用放熱器２３で放熱された後、熱源機５の暖房用熱交換器５２へ戻り再び加熱される。
【００２３】
スプラッシュミスト機構３は、浴室に温水を噴霧するミストノズル３１を備える。ミストノズル３１にはミスト水路３２が連なる。ミスト水路３２には、上流側から順に、フィルタ３２ａ、逆止弁３２ｂ、給水弁３２ｃ、液々熱交換器３３、サーミスタ３２ｄ及びミスト弁３２ｅが介設されている。
【００２４】
液々熱交換器３３には、ミスト水路３２を介して水道水が供給される。液々熱交換器３３には、主熱媒循環路２４から分岐した副熱媒循環路２５が接続されており、この副熱媒循環路２５に流量調節弁２５ａが介設されている。こうして、熱源機５の暖房用熱交換器５２で加熱された熱媒体が流量調節弁２５ａの開弁で液々熱交換器３３に供給され、ミスト水路３２に流れる水が液々熱交換器３３で熱媒体の熱により加熱され、温水となってミストノズル３１に供給される。
【００２５】
打たせ湯機構４は打たせ湯ノズル４１を備える。打たせ湯ノズル４１は、熱源機５の給湯用熱交換器５１に連なる給湯路５１ｂに打たせ湯水路４２を介して接続されている。サーミスタ５１ｃは、熱源機５内の給湯路５１ｂの部位でかつ給湯用熱交換器５１より下流側の部位に介設され、該部位における水温を検出する。サーミスタ５１ｃが検出した水温は、給湯路５１ｂの水温が熱源機５の設定給湯温度になるように、熱源機５が給湯用バーナ５１ａの加熱量をフィードバック制御するために使用される。
【００２６】
打たせ湯水路４２には、上流側から順に、フィルタ４２ａ、打たせ湯水量サーボ４２ｂ、サーミスタ４２ｃ及び出湯弁４２ｄが介設されている。また、打たせ湯水路４２には、サーミスタ４２ｃと出湯弁４２ｄとの間の部分から分岐する排水路４３が設けられている。排水弁４３ａは排水路４３に介設されている。
【００２７】
打たせ湯水路４２の打たせ湯水量サーボ４２ｂとサーミスタ４２ｃとの間の部分には、ミスト水路３２のサーミスタ３２ｄとミスト弁３２ｅとの間の部分から分岐したバイパス路４４が接続されている。バイパス路４４には、水量調節弁としてのバイパス水量サーボ４４ａと、ミスト水路３２から打たせ湯水路４２への湯の流れのみを許容し、逆方向の流れを阻止する逆止弁４４ｂとが介設されている。
【００２８】
バイパス路４４は、ミストノズル３１からミストを噴出するミスト運転終了後、ミスト水路３２に残っている水を排水路４３から排水するためと、打たせ湯の実施中に、打たせ湯の他に、台所や浴槽での湯の使用等、湯の消費量の一時的な増大に対処して、液々熱交換器３３で加熱したミスト水路３２内の湯を打たせ湯水路４２へ一時的に送り込んで、打たせ湯の湯温の低下を回避するために、設けられている。
【００２９】
台所出湯栓６１、浴室出湯栓６２及び浴槽循環金具６３は、打たせ湯ノズル４１と共に、給湯システム１における複数の出湯箇所となっており、給湯用熱交換器５１に連なる給湯路５１ｂに接続される。台所出湯栓６１は台所に配備され、浴室出湯栓６２は、浴室の浴槽内へ湯を落下可能に浴槽の近傍に配備され、浴槽循環金具６３は、浴室の浴槽の側壁の下部に配備され、浴槽内へ連通している。浴槽の湯張り時では、浴槽循環金具６３の給湯口から浴槽へ湯が供給される。
【００３０】
図２において、浴室暖房機６７は、図１の暖房機構２、スプラッシュミスト機構３、打たせ湯機構４及び暖房用放熱器２３を内部に収容しているとともに、コントローラ６８を含む。コントローラ６８は、暖房用熱媒弁２４ａ、流量調節弁２５ａ、給水弁３２ｃ、ミスト弁３２ｅ、打たせ湯水量サーボ４２ｂ、出湯弁４２ｄ及び排水弁４３ａを制御する。コントローラ６８には、浴室内に設置される暖房機リモコン７０が通信ケーブル６９を介して接続されている。なお、暖房機リモコン７０から後述の風呂リモコン９０へのワイヤレス通信１１０については後で説明する。
【００３１】
暖房機リモコン７０は、浴室の壁に取り付けられ、暖房スイッチ７１、ミストスイッチ７２、打たせ湯スイッチ７３、停止スイッチ７４、アップダウンスイッチ７５、高温排水スイッチ７６、表示器７７及びブザー７８が配備されている。暖房機リモコン７０及び後述の熱源機リモコン（台所リモコン８０及び風呂リモコン９０）の各スイッチは使用者がそれらスイッチを押下することにより各操作がオンとなる。表示器７７は、排水表示等の各種表示を行う上側の表示部と、時刻、暖房設定温度、打たせ湯設定水量等を選択表示する下側の液晶表示部とを有する。
【００３２】
暖房スイッチ７１がオンになると、コントローラ６８から熱源機５に作動指令が送られて、循環ポンプ２４ｃと暖房用バーナ５２ａとが作動され、さらに、暖房用熱媒弁２４ａが開弁されて、暖房用放熱器２３に暖房用熱交換器５２で加熱された熱媒体が供給されるとともに、循環ファンが作動されて、浴室内に温風を送風する暖房運転が行われる。
【００３３】
ミストスイッチ７２がオンになると、上述した暖房運転と同様の制御が行われるとともに、流量調節弁２５ａが開弁されて、液々熱交換器３３に暖房用熱交換器５２で加熱された熱媒体が供給され、さらに、給水弁３２ｃ及びミスト弁３２ｅが開弁されて、液々熱交換器３３で加熱された温水をミストノズル３１から噴霧するミスト運転が行われる。
【００３４】
打たせ湯スイッチ７３がオンになると、出湯弁４２ｄが開弁され、給湯用熱交換器５１で加熱された温水を打たせ湯ノズル４１から落下させる打たせ湯運転が行われる。停止スイッチ７４がオンになると、出湯弁４２ｄが閉弁され、打たせ湯ノズル４１からの温水の落下が終了する。
【００３５】
台所リモコン８０は、台所に設置され、通信ケーブル７９により熱源機５へ接続されている。台所リモコン８０は、表示部８１、運転スイッチ８２、自動スイッチ８３、時刻変更スイッチ８４、音量スイッチ８５、時計スイッチ８６、スピーカ８７及び給湯温度スイッチ８８を有している。
【００３６】
表示部８１は熱源機５の作動状態等を表示する。運転スイッチ８２は、熱源機５を給湯動作が可能な運転状態と給湯動作が不能な待機状態とに切替える際にオンにされる。自動スイッチ８３は、「自動湯張り運転」の実行を指示する際にオンにされる。時刻変更スイッチ８４は現在時刻の変更を指示する際にオンにされる。音量スイッチ８５はスピーカ８７の出力レベルを設定する際にオンにされる。給湯温度スイッチ８８は給湯温度を変更する際にオンにされる。
【００３７】
台所リモコン８０においては、使用者は先ず時計スイッチ８６を操作して「時刻設定モード」とする。そして、使用者が時刻変更スイッチ８４（もどる、すすむ）を操作すると、それに応じて、表示部８１に表示される時刻が変更される。そして、使用者が時計スイッチ８６を操作すると、表示部８１に表示されていた時刻が計時の新たな開始時刻として設定される。
【００３８】
風呂リモコン９０は、浴室の浴槽近傍に設置され、表示部９１、運転スイッチ９２、呼び出しスイッチ９４、自動スイッチ９５、給湯温度スイッチ９６、風呂温度スイッチ９７、湯量スイッチ９８、足し湯スイッチ９９、音量スイッチ１００、ぬる湯スイッチ１０２、時計スイッチ１０３、時刻変更スイッチ１０４、スピーカ１０５、優先スイッチ１０６及び風呂予約スイッチ１０７を有し、通信ケーブル８９を介して熱源機５へ接続されている。
【００３９】
表示部９１は給湯器１の作動状態等を表示する。運転スイッチ９２は給湯器１を給湯動作が可能な運転状態と給湯動作が不能な待機状態とに切替える際にオンにされる。呼び出しスイッチ９４は台所リモコン８０に設けられたブザーの鳴動を指示する際にオンにされる。自動スイッチ９５は「自動湯張り運転」の実行を指示する際にオンにされる。給湯温度スイッチ９６は給湯温度の変更を指示する際にオンにされる。風呂温度スイッチ９７は「自動湯張り運転」における湯張り温度の変更を指示する際にオンにされる。
【００４０】
湯量スイッチ９８は「自動湯張り運転」における湯量を設定する際にオンにされる。足し湯スイッチ９９は浴槽に高温の湯を所定量供給する「足し湯運転」の実行を指示する際にオンにされる。ぬる湯スイッチ１０２は浴槽に水を所定量供給する「ぬる湯運転」の実行を指示する際にオンにされる。音量スイッチ１００はスピーカ１０５の出力レベルを設定する際にオンにされる。
【００４１】
時計スイッチ１０３は現在時刻及び予約時刻の設定／変更が可能な「時刻変更モード」への切替えを指示する際にオンにされる。時刻変更スイッチ１０４は時刻の変更を指示する際にオンにされる。優先スイッチ１０６は、台所リモコン８０による給湯温度の設定は不能にして、風呂リモコン９０による給湯温度の設定を優先させる「優先モード」の設定を指示する際にオンにされる。風呂予約スイッチ１０７は予約時刻に自動湯張り運転を終了させる「予約運転」の設定／解除を指示する際にオンにされる。
【００４２】
熱源機５はコントローラ１２１及び通信部１２２を備えている。熱源機５は、設定値記憶用に図示していない不揮発性メモリを装備する。通信部１２２は、浴室暖房機６７のコントローラ６８を介して暖房機リモコン７０における所定の使用者操作情報を受信する。該所定の使用者操作情報には、使用者が暖房機リモコン７０において打たせ湯スイッチ７３及び停止スイッチ７４をオン操作した情報が含まれる。浴室暖房機６７のコントローラ６８は、暖房機リモコン７０から打たせ湯スイッチ７３又は停止スイッチ７４のオン信号を受信すると、使用者から打たせ湯の開始又は終了の指示があった旨の情報を、熱源機５の通信部１２２−浴室暖房機６７間の汎用通信規格であるＧＣＨ（Gas Central Heating）の通信規格に準拠した信号にして、通信ケーブル１２４を介して熱源機５の通信部１２２へ送信する。
【００４３】
浴室暖房機６７は本発明における打たせ湯ユニットに相当する構成を含む。コントローラ１２１は本発明における検知手段及び給湯制御手段に相当する機能を含む。暖房機リモコン７０は本発明における打たせ湯リモコンに相当する。台所リモコン８０及び風呂リモコン９０は前述したように熱源機リモコンに相当する。台所出湯栓６１、浴室出湯栓６２及び浴槽循環金具６３は打たせ湯ノズル４１と共に本発明における複数の出湯個所に相当する。
【００４４】
熱源機５のコントローラ１２１は、浴室暖房機６７のコントローラ６８からの打たせ湯の開始及び終了指示情報の受信に伴い、打たせ湯用給湯制御を開始及び終了する。打たせ湯用給湯制御では、熱源機５の設定給湯温度は、熱源機リモコン（台所リモコン８０及び風呂リモコン９０）からの最後の指示による設定給湯温度に代えて、打たせ湯用の設定給湯温度に変更される。打たせ湯用の設定給湯温度とは、例えば４０°Ｃの固定値であり、あらかじめ熱源機５のメモリ（記憶媒体に相当する。）に記憶しておく。熱源機５は、変更された設定給湯温度に対し、サーミスタ５１ｃの検出温が該設定給湯温度となるように、給湯用バーナ５１ａによる給湯用熱交換器５１の加熱量をフィードバック制御する。
【００４５】
図３は、浴室暖房機（浴暖）６７及び熱源機５の各々及び両者間の処理のフローを示している。最初に、ＳＴＥＰ１４０〜ＳＴＥＰ１４４の浴室暖房機６７の処理のフローについて説明する。
【００４６】
ＳＴＥＰ１４０において浴室暖房機６７は、１００Ｖコンセントへの接続に伴い、電源がオンになる。
【００４７】
ＳＴＥＰ１４１では、浴室暖房機６７は通常モードに設定される。浴室暖房機６７の通常モードとは、浴室暖房機６７が打たせ湯を実施していないすべての期間を含む状態であり、すなわち作動停止中も通常モードに含まれる。具体的には、作動を停止している状態、暖房用放熱器２３による浴室の暖房運転状態やミストノズル３１から浴室に温水を噴霧するミスト運転状態は通常モードである。浴室暖房機６７は、使用者が暖房機リモコン７０の暖房スイッチ７１又はミストスイッチ７２をオンにすれば、作動を開始する。
【００４８】
ＳＴＥＰ１４１では、さらに、熱源機５の通信部１２２に対し、通信ケーブル１２４を介して所定時間間隔で通常モードの状態の情報を送信する。
【００４９】
ＳＴＥＰ１４２では、使用者が打たせ湯の開始を指示したか否かを調べる。使用者が打たせ湯の開始を指示したことは暖房機リモコン７０の打たせ湯スイッチ７３がオンにされたことにより検知することができる。使用者が打たせ湯の開始を指示したならば、ＳＴＥＰ１４３へ進み、指示していなければ、ＳＴＥＰ１４１へ進んで、通常運転を続ける。
【００５０】
ＳＴＥＰ１４３では、浴室暖房機６７は打たせ湯運転を実施する。具体的には、熱源機５へ打たせ湯実施の信号を送信して、浴室暖房機６７は、出湯弁４２ｄを開弁（全開）させ、打たせ湯水量サーボ４２ｂを、暖房機リモコン７０におけるアップダウンスイッチ７５により調整された水量に対応する開度で開弁させる。これにより、天井の打たせ湯ノズル４１から湯が落下する。
【００５１】
ＳＴＥＰ１４３では、さらに、熱源機５の通信部１２２に対し、通信ケーブル１２４を介して所定時間間隔で打たせ湯モードの状態にあることを知らせる情報を送信する。
【００５２】
ＳＴＥＰ１４４では、使用者が打たせ湯の終了を指示したか否かを調べる。使用者が打たせ湯の終了を指示したことは暖房機リモコン７０の停止スイッチ７４がオンにされたことにより検知することができる。使用者が打たせ湯の終了を指示したならば、ＳＴＥＰ１４１へ進んで、通常モードの状態（通常モードの状態には、前述したように、停止状態も含まれる。）の情報を送信する。また、使用者が打たせ湯の終了を指示していなければ、ＳＴＥＰ１４３へ進んで、打たせ湯運転を続ける。
【００５３】
ＳＴＥＰ１４４において、使用者が打たせ湯の終了を指示したと判定された場合、浴室暖房機６７が打たせ湯運転を終了させる処理は、出湯弁４２ｄ及び打たせ湯水量サーボ４２ｂを共に閉弁させことであり、これにより、打たせ湯ノズル４１からの湯の吐出が終了する。なお、浴室暖房機６７において打たせ湯運転が終了したことは、そのこと自体の情報は浴室暖房機６７から熱源機５へ送信されないが、浴室暖房機６７が打たせ湯運転を終了した場合に、ＳＴＥＰ１４４の次に実行するＳＴＥＰ１４１において、浴室暖房機６７から熱源機５へ通常モードの状態の情報が送信されることにより、熱源機５に検知させることができる。
【００５４】
こうして、使用者は、暖房機リモコン７０の打たせ湯スイッチ７３及び停止スイッチ７４を操作して、打たせ湯を開始及び終了させるとともに、熱源機５は浴室暖房機６７からの運転モード情報に基づき使用者が打たせ湯の開始又は終了を指示したことを検知する。
【００５５】
次に、ＳＴＥＰ１５１〜ＳＴＥＰ１５６の熱源機５における処理のフローについて述べる。ＳＴＥＰ１５０〜ＳＴＥＰ１５６の処理はコントローラ１２１が実行する。ＳＴＥＰ１５０では、熱源機５は、そのプラグを電源コンセントに差し込まれて、電源オンの状態になる。
【００５６】
ＳＴＥＰ１５１では、浴室暖房機６７からのその運転モード情報の受信に基づき浴室暖房機６７の現在の運転モードが通常モードであるか打たせ湯モードであるかを調べ、浴室暖房機６７の運転モードが打たせ湯モードに切替わりしだい、ＳＴＥＰ１５２へ進む。
【００５７】
ＳＴＥＰ１５２では、コントローラ１２１は、熱源機５の設定状態をメモリに記憶する。熱源機５の設定状態とは給湯システム１の設定状態と同義であり、メモリに記憶する熱源機５の設定状態とは、例えば、熱源機５の給湯動作についての運転状態／待機状態の情報、熱源機５の給湯設定温、優先リモコンがどの熱源機リモコン（台所リモコン８０又は風呂リモコン９０）になっているかの情報である。
【００５８】
なお、熱源機５の給湯動作についての運転状態／待機状態の情報とは、すでに説明済みの台所リモコン８０及び風呂リモコン９０における運転スイッチ８２及び９２のオン操作に対応する情報のことである。すなわち、台所リモコン８０及び風呂リモコン９０のいずれかにおいて、使用者が運転スイッチをオンにするごとに、熱源機５は給湯動作が可能な運転状態と給湯動作が不能な待機状態とに交互に切替わることになっているが、熱源機５の設定状態とは熱源機５は給湯動作が運転状態及び待機状態のいずれになっているかの情報である。熱源機５は、待機状態である期間も所定の電力供給が確保されていて、浴室暖房機６７からの打たせ湯モード情報の受信の検知及びそれに続く対応処理であって運転状態に切り替わるまでの処理を実施可能になっている。
【００５９】
優先リモコンとは、台所リモコン８０及び風呂リモコン９０の内のいずれか１つだけ選択された熱源機リモコンのことであり、優先リモコンが設定されている期間では、優先リモコンからのみ熱源機５の設定給湯温度を指示することができるようになっている。
【００６０】
ＳＴＥＰ１５３では、コントローラ１２１は熱源機５を運転状態にする。すなわち、熱源機５を給湯動作が不能な待機状態から給湯動作が可能な運転状態へ切り替える。この切替処理は、熱源機５がすでに運転状態になっているのであれば、省略される。
【００６１】
ＳＴＥＰ１５３では、また、熱源機リモコンの優先権を風呂リモコン９０にする。すなわち、以降、風呂リモコン９０が優先リモコンになる。ＳＴＥＰ１５３では、さらに、熱源機５の給湯設定温（設定給湯温度）を所定の打たせ湯設定温にする。所定の打たせ湯設定温は、例えば４０°Ｃの固定値にすることもできるし、その他にすることもできる。その他の具体例では、熱源機リモコンの台所リモコン８０の給湯温度スイッチ８８（図２）又は風呂リモコン９０の給湯温度スイッチ９６（図２）により変更できる熱源機５の給湯設定温が例えば６０〜３７°Ｃの範囲であるのに対し、打たせ湯の適正温度範囲は４２°Ｃ以下であると想定し、打たせ湯開始前までの熱源機５の給湯設定温が６０〜４２°Ｃの範囲の値であるならば、打たせ湯の該適正温度範囲の上限の４２°Ｃを所定の打たせ湯温度とし、また、打たせ湯開始前までの熱源機５の給湯設定温が４２〜３７°Ｃの範囲の値であるならば、該給湯設定温をそのまま所定の打たせ湯温度とすることができる。
【００６２】
なお、使用者は、打たせ湯の実施中、優先リモコンの風呂リモコン９０から熱源機５の給湯設定温を自分の好みに適宜変更可能になっている。ただし、使用者が、打たせ湯の適正な給湯設定温範囲の上限を上回った給湯設定温を風呂リモコン９０から指示してしまったときには、熱源機５は該上限を打たせ湯用の給湯設定温にする。使用者が、打たせ湯の実施期間中、風呂リモコン９０から熱源機５の給湯設定温を変更しなければ、給湯設定温は打たせ湯開始時の固定値に維持される。
【００６３】
ＳＴＥＰ１５４では、コントローラ１２１は打たせ湯状態を維持する。すなわち、熱源機５は、ＳＴＥＰ１５３における給湯設定温又は使用者がその後に優先リモコンの風呂リモコン９０から指示した給湯設定温の湯を打たせ湯ノズル４１へ供給する。
【００６４】
ＳＴＥＰ１５５では、コントローラ１２１は、浴室暖房機６７からのその運転モード情報の受信に基づき浴室暖房機６７の現在の運転モードを判断し、該運転モードが通常モードであるときには、ＳＴＥＰ１５６へ進み、該運転モードが打たせ湯モードであるときには、ＳＴＥＰ１５４へ戻り、熱源機５の打たせ湯状態を継続する。
【００６５】
ＳＴＥＰ１５６では、コントローラ１２１は、ＳＴＥＰ１５２においてメモリに記憶しておいた打たせ湯開始直前の熱源機５の設定状態を読み出して、読み出した設定状態へ熱源機５の設定状態を変更する。これにより、熱源機５の運転状態／待機状態、給湯設定温及び優先リモコンの設定状態は、ＳＴＥＰ１５２の処理時点の設定状態に戻される。
【００６６】
この給湯システム１では、熱源機５の通信部１２２−浴室暖房機６７間の通信は、前述したように、汎用通信方式のＧＣＨに準拠して行われる。該ＧＣＨは浴室暖房機を製造する複数のメーカーが共通に使用している通信方式である。これに対し、通信ケーブル７９，８９を介する通信部１２２−熱源リモコン間の通信は熱源機５のメーカーが独自に決めた既存通信方式を採用している。
【００６７】
熱源機５及び浴室暖房機６７のメーカーは、顧客が熱源機５及び浴室暖房機６７の両方を自社製のものを購入することを想定して、暖房機リモコン７０における打たせ湯の開始及び終了の指示情報を、ＧＣＨのような汎用通信方式ではなく、メーカー独自の既存通信方式で熱源機５へ送信する通信部を熱源機５及び浴室暖房機６７に装備させることができる。その場合、暖房機リモコン７０−風呂リモコン９０間は、無線通信や赤外線通信等のワイヤレス通信１１０を利用し、風呂リモコン９０−熱源機５間の通信は通信ケーブル８９の通信路を介してメーカー独自の既存の通信方式により通信するようにする。具体的には、暖房機リモコン７０はワイヤレス通信用の送信部を装備し、風呂リモコン９０はワイヤレス通信用の受信部を装備し、暖房機リモコン７０における打たせ湯の開始及び終了の指示を含む指示信号は、暖房機リモコン７０の送信部から風呂リモコン９０の受信部へワイヤレス通信１１０で送信される。
【００６８】
これによれば、暖房機リモコン７０から熱源機５の設定給湯温度を変更する指示信号が、ＧＣＨ汎用通信以外の別の既存の通信方式を使って、風呂リモコン９０を中継して、送信される。ただし、この場合、暖房機リモコン７０に、風呂リモコン９０の給湯温度スイッチ９６（図２）のような給湯温度スイッチを追加する必要がある。こうして、打たせ湯の実施中は、熱源機５の設定給湯温度の変更について風呂リモコン９０を優先リモコンに設定する制御を省略するとともに、熱源機５の設定給湯温度の変更は暖房機リモコン７０のみから可能となるようにして、使用者は、暖房機リモコン７０から打たせ湯の開始及び終了指示と共に、打たせ湯温度を適宜、変更することができる。
【００６９】
なお、無線のワイヤレス通信１１０では、通信距離を十分に取ることができるので、暖房機リモコン７０から台所リモコン８０へ信号を飛ばして、風呂リモコン９０に代えて台所リモコン８０に中継させることもできる。この場合、風呂リモコン９０はワイヤレス受信部を省略され、台所リモコン８０がワイヤレス受信部を装備することになる。
【００７０】
本発明は、上述した実施例及び変形例の他にも、要旨の範囲内で変形した各種の構成を包含する。
【符号の説明】
【００７１】
１・・・給湯システム、５・・・熱源機、４１・・・打たせ湯ノズル、６１・・・台所出湯栓、６２・・・浴室出湯栓、６３・・・浴槽循環金具、６７・・・浴室暖房機、６８・・・コントローラ、７０・・・暖房機リモコン、８０・・・台所リモコン、９０・・・風呂リモコン。
【図３】
0005468512.tif 000002
【図１】
0005468512.tif 000003
【図２】
0005468512.tif 000004